(57)【要約】  【課題】劣化し傷付き易い古い写真でも傷つけることなく、スキャニング装置に連続して搬送し、鮮明な読み取りが行なえるとともに、傷付きにより貴重な写真の価値が半減するのを防止できるようにする。  【解決手段】  複数の写真を設置する写真設置部と写真設置部から搬送された写真をスキャニングする読み取り処理部と、処理済み写真をストックする収納部とを備えた写真スキャニング装置において、写真設置部から読み取り処理部に写真を搬送する搬送手段を、写真設置部の写真を１枚づつ吸引してリフトした状態で、読み取り処理部に写真を搬送する吸引搬送機構で構成した。【選択図】図１
2005229374.tif 000002
【特許請求の範囲】
【請求項１】
複数の写真を設置する写真設置部と写真設置部から搬送された写真をスキャニングする読み取り処理部と、処理済み写真をストックする収納部とを備えた写真スキャニング装置において、写真設置部から読み取り処理部に写真を搬送する搬送手段を、写真設置部の写真を１枚づつ吸引してリフトした状態で、読み取り処理部に写真を搬送するように構成したことを特徴とする写真スキャニング装置。
【請求項２】
読み取り処理部から処理済み写真をストックする収納部に写真を搬送する搬送手段が、読み取り処理部の写真を１枚づつ吸引してリフトした状態で、収納部に写真を搬送するように構成したことを特徴とする請求項１に記載の写真スキャニング装置。
【発明の詳細な説明】
【技術分野】
【０００１】
本発明は、銀塩写真をデジタル化する際の画像を読み込む時に使用される写真スキャニング装置に関するものである。
【背景技術】
【０００２】
思い出の詰まった古い写真は、その殆どが印画紙等の感光材料に焼き付けられており、年月を経るにつれて劣化する。
そこで、こうした問題に対処するために劣化に強いコンパクトディスク（ＣＤ）やデジタル多用途ディスク（ＤＶＤ）等のデジタル記憶媒体に保存する要請が近年増加している。
例えばネガ若しくはポジフィルムや写真の画像をデジタル化処理する場合、ネガ若しくはポジフィルムを搬送用ローラで挟持してスキャニング装置に搬送し、画像をスキャナで読み込ませるようにしたものが知られている。
【特許文献１】特開２００１−３０９１２６号公報
【発明の開示】
【発明が解決しようとする課題】
【０００３】
ところが、感光材料に焼き付けられた多量の古い写真を上記の一般的なスキャニング装置の搬送ローラで搬送する場合、積み重ねられた古い写真を１枚づつ取出す時に写真が擦れることから傷付いてしまい、スキャニング装置でその画像を読み取る時に傷まで読み取り、鮮明な読み取りができない恐れがあるだけでなく、二枚とない写真の価値を傷の為に半減してしまうという問題があった。
そこで、本発明は上記問題点に鑑み提案されたもので、劣化し傷付き易くなっている古い写真でも傷つけることなく、スキャニング装置に連続して搬送し、鮮明な読み取りが行なえるとともに、傷付きによる貴重な写真の価値の半減を防止できるようにすることを目的とするものである。
【課題を解決するための手段】
【０００４】
上記目的を達成するために本発明にかかる写真スキャニング装置は、複数の写真を設置する写真設置部と写真設置部から搬送された写真をスキャニングする読み込み処理部と、処理済み写真をストックする収納部とを備えた写真スキャニング装置において、写真設置部から読み取り処理部に写真を搬送する搬送手段を、写真設置部の写真を１枚づつ吸引してリフトした状態で、読み取り処理部に写真を搬送する吸引式の搬送手段で構成したことを最も主要な特徴とするものである。
【０００５】
また、本発明にかかる写真スキャニング装置では、読み込み処理部から処理済み写真をストックする収納部に写真を搬送する搬送手段が、読み取り処理部の写真を１枚づつ吸引してリフトした状態で、収納部に写真を搬送する吸引搬送機構で構成した吸引搬送機構であることも特徴とするものである。
【発明の効果】
【０００６】
本発明は、吸引式の搬送手段で写真設置部に積み重ねられた写真を１枚づつ吸引し、リフトした状態で読み取り処理部に写真を搬送するようにしてあるので、古い写真でも傷つけることなく１枚づつ確実に読み込み処理部に供給することができる。
これにより、劣化し傷付き易い古い写真でも傷つけることなく、スキャニング装置に連続して搬送し、鮮明な読み取りが行なえるとともに、従来の搬送用ローラでの搬送のように擦れによる傷付きがなく、傷付きによる貴重な写真の価値の半減を防止することができる利点がある。
【０００７】
また、読み込み処理部から処理済み写真をストックする収納部に写真を搬送する搬送手段を、読み取り処理部の写真を１枚づつ吸引してリフトした状態で、収納部に写真を搬送する吸引式の搬送手段で構成するようにしたものでは、上記効果に加えて、読み込み処理部から収納部に写真を搬送する時に、写真に擦れによる傷が付くのを防止し、傷付きによる貴重な写真の価値の低下を更に防止することができるという利点がある。
【発明を実施するための最良の形態】
【０００８】
以下に、本発明にかかる写真スキャニング装置の望ましい実施の形態を図面に基づいて説明する。
図１は写真スキャニング装置の概略構成を示す側面図であって、図中符号１は写真スキャニング装置を全体的に示す。
この写真スキャニング装置１は、複数の写真２を設置する写真設置部３と写真設置部３から第１搬送手段４により搬送された写真２をスキャニングする読み込み処理部５と、第２搬送手段６で搬送された処理済み写真２をストックする収納部７を遮光ケース８内に設置してなる。
上記写真設置部３並びに収納部７は、略同様の構成であって、写真を上下方向に積み重ねた状態で載置する台９・１０を、後述する読み込み処理部５を挟んだ対称位置に設けて構成されている。
【０００９】
読み込み処理部５は、駆動用モータ１１で駆動される搬送用ベルト１２と、搬送用ベルト１２で搬送される写真２の画像を読み込む複数のラインセンサ（図示せず）が組み込まれた読み取りセンサ１３を配設し、この読み取りセンサ１３で読み取られた画像データは制御装置３３のメモリ（図示せず）に記録されるように構成されている。
そして、写真設置部３の写真２を読み取り処理部５に搬送する第１搬送手段４は、遮光ケース８内の上部に写真設置部３側から収納部７側に亙って張り渡したガイド杆１４と、このガイド杆１４に案内され、駆動機構１５により摺動制御される摺動部材１６と、摺動部材１６から垂下され昇降シリンダ１７で昇降されるノズル１８とで形成されている。
【００１０】
上記昇降シリンダ１７はバネ復帰型の単動型のエアーシリンダであって、その給気ポート１９は電磁弁Ｄ１を介して負圧供給部２０に接続されており、電磁弁Ｄ１が働き負圧供給部２０から負圧が供給されるとシリンダロッド２１が下方に伸張し、電磁弁Ｄ１が切り換わって給気ポート１９が大気に連通するとバネ（図示せず）の弾性によりシリンダロッド２１が収縮するようになっている。
また、ノズル１８は相対摺動可能な内外二重管２２・２３で形成されたテレスコピック式に形成され摺動部材１６に連結された内管２２部分が電磁弁Ｄ２を介して負圧供給部２０に接続されており、外管２３の下端部が吸着面２４になっている。
尚、この吸着面２４に、例えば図２に示すようにスポンジ等の柔軟な材質で漏斗状形成されたの吸着具２５を取り付けると、写真２の表面にやさしく当接し、更に傷がつきにくいものとなる。
【００１１】
一方、読み取り処理された写真２を収納部７に搬送する第２搬送手段６は、上記の写真設置部３から写真２を読み取り処理部５に搬送する第１搬送手段４と共通のガイド杆１４に駆動機構１５で摺動制御される摺動部材２６と、摺動部材２６から垂下され昇降シリンダ２７で昇降されるノズル２８で形成されている。
この昇降シリンダ２７も前述したのと同様、バネ復帰型の単動型のエアーシリンダであって、その給気ポート２９は電磁弁Ｄ３を介して負圧供給部２０に接続されており、電磁弁Ｄ３が働き負圧供給部２０から負圧が供給されるとシリンダロッド３０が下方に伸張するとともに、電磁弁Ｄ３が切り換わって給気ポート２９が大気に連通するとバネ（図示せず）の弾性によりシリンダロッド３０が収縮する構成のものとなっている。
また、このノズル２８も前述と同様に、相対摺動可能な内外二重管３１・３２で形成されたテレスコピック式に形成され、摺動部材２６に連結された内管３１部分が電磁弁Ｄ４を介して負圧供給部２０に接続されており、外管３２の下端部が吸着面３６となっている。
【００１２】
上記第１及び第２の各搬送部４・６の摺動部材２６を摺動させる駆動機構１５は、制御装置３３で正・逆回転される前記駆動索３４をガイド管１４と平行に設け、この駆動索３４に摺動部材１６・２６を連結したもので、第１及び第２の各搬送部４・６の摺動部材１６・２６は、同期連動されるようになっている。
【００１３】
上記のように構成された写真スキャニング装置１の作用を次に説明する。
先ず遮光ケース８の写真設置部３側の入口３５を開け、処理する多数の写真２を写真設置部３に積み重ねた状態にして入口３５を閉じる。
次に、制御装置３３を起動させて第１搬送手段４のノズル１８を実線図の状態から一旦上昇させ、図上左方の写真設置部３に移動させる。
このノズル１８を上昇させる場合、電磁弁Ｄ１で昇降シリンダ１７の給気ポート１９が大気に連通するようにする。
すると、昇降シリンダ１７のロッド２１はシリンダスリーブに内装されたバネにより収縮（上昇）するので吸着面２４を設けた外管２３が上昇する。
外管２３が上昇した状態で駆動機構１５の駆動索３４を反時計回転方向に所定量回転させると、ノズ１８が写真設置部３の上方に位置するように移動させることができる。
【００１４】
ノズル１８が写真設置部３の上方に位置し、駆動機構１５の駆動索３４の回動が停止されると、電磁弁Ｄ１が昇降シリンダ１７の給気ポート１９と負圧供給部２０とが連通するように切り換わり、給気ポート１９には負圧供給部２０の負圧が供給される。
給気ポート１９に負圧が供給されると、シリンダスリーブに内装されたバネの弾性に抗してロッド２１が伸張し、吸着面２４を設けた外管２３が下降して写真設置部３に積み重ねられた写真２の上面に当接する（図１の２点鎖線図参照）。
この状態で電磁弁Ｄ２を介してノズル１８の内管２２に負圧供給部２０の負圧を供給するようになり、この負圧で写真設置部３に積み重ねられた写真２の上部の１枚がこの吸着面２４に吸着される。
【００１５】
電磁弁Ｄ１が切り換わり昇降シリンダ１７の給気ポート１９が大気に連通すると、昇降シリンダ１７のロッド２１はシリンダスリーブに内装されたバネにより収縮するので吸着面２４に吸着された写真設置部３の写真２はその１枚だけが上方にリフトされる。
駆動機構１５の駆動索３４が時計回転方向に回動され、写真２を吸着したノズル１８が読み取り処理部５の上方の所定位置に移動する。
電磁弁Ｄ１が昇降シリンダ１７の給気ポート１９と負圧供給部２０とが連通するように切り換わると、給気ポート１９には負圧が供給され、シリンダスリーブに内装されたバネの弾性に抗してロッド２１が伸張し、吸着面２４を設けた外管２３が下降する。
【００１６】
そして電磁弁Ｄ２が切り換わり、内管２２が外気に連通し、ノズル１８内の負圧がなくなると吸着面２４に吸着された写真２は読み取り処理部５の搬送用ベルト１２上に置かれる。
搬送用ベルト１２上に写真２が置かれると、読み込み処理部５の駆動用モータ１１が駆動され、読み取りセンサ１３を通過する時に画像データが読み取られ、制御装置のメモリに記録される。
読み込み処理部５で読み込み処理された写真２は、上記写真設置部３から読み取り処理部５に写真２を搬送する搬送手段４と連動し、略同様に作用する搬送手段６で読み取り処理部５から収納部７に搬送され上下に重ね合わされた状態で収納される。
【００１７】
即ち、電磁弁Ｄ３で昇降シリンダ２７の給気ポート２９を大気に連通させて昇降シリンダ２７のロッド３０をシリンダスリーブに内装されたバネでロッド３０が収縮（上昇）することにより、搬送手段６のノズル２８を実線図の状態から一旦上昇させる。
駆動機構１５の駆動索３４を反時計回転方向に所定量回転させて図上左方の読み取り処理部５で処理された写真２の中央上方位置に移動させる。
次に、昇降シリンダ２７の給気ポート２９と負圧供給部２０とが連通するように電磁弁Ｄ３が切り換わり、給気ポート２９に負圧が供給されると、シリンダスリーブに内装されたバネの弾性に抗してロッド３０が伸張し、外管３２が下降して吸着面３６が読み取り処理済みの写真２の上面に当接する
（図１の２点鎖線図参照）。
この状態で電磁弁Ｄ４がノズル２８の内管３１に負圧供給部２０の負圧を供給すると、この負圧で読み取り処理済みの写真２が吸着面３６に吸着される。
【００１８】
電磁弁Ｄ３が切り換わり昇降シリンダ２７の給気ポート２９が大気に連通すると、昇降シリンダ２７のロッド３０はシリンダスリーブに内装されたバネにより収縮するので吸着面３６に吸着された搬送ベルト１２上の写真２は外管３２とともに上方にリフトされる。
駆動機構１５の駆動索３４が反時計回転方向に所定量回動されると、写真２を吸着したノズル２８は収納部７の所定位置の上方に移動する。
電磁弁Ｄ３が昇降シリンダ２７の給気ポート２９と負圧供給部２０とが連通するように切り換わると、給気ポート２９には負圧が供給され、シリンダスリーブに内装されたバネの弾性に抗してロッド３０が伸張し、これに伴ってノズル２８の外管３２が下降する。
【００１９】
そして電磁弁Ｄ４が切り換わって、内管３１が外気に連通すると、ノズル２８内の負圧がなくなり、吸着面３６に吸着された写真２は収納部上に置かれる。
こうした作用を繰り返すことにより設置部３の写真２が順次読み取り装置５に送られて読み取り処理が連続して行なわれた後、収納部７に回収される。
収納部７に回収された写真２は出口３７から取り出される。
尚、上記実施の形態では第１及び第２の両搬送手段４・６が同期して作動するようにしてあるが、これをそれぞれ単独で駆動するようにしてもよいし、ノズル１８・２８の昇降はエアー昇降シリンダに限られず、その他の駆動手段、例えばラック・ピニオン式にできることは勿論のこと、外管の自重で下降し負圧により上昇するようにすることもできる。
【図面の簡単な説明】
【００２０】
【図１】写真スキャニング装置の概略構成を示す側面図である。
【図２】吸着口部分の斜視図である。
【符号の説明】
【００２１】
１・・・写真スキャニング装置
２・・・写真
３・・・写真設置部
４・・・第１搬送手段
５・・・読み取り処理部
６・・・第２搬送手段
【図１】
2005229374.tif 000003
【図２】
2005229374.tif 000004